(57)【特許請求の範囲】
【請求項１】
室内制御装置を有する室内機と、表示部を有する遠隔制御装置との間で双方向に通信し情報を送受信する空気調和機において、
前記室内機は、
単位時間当たりの積算電力量及び運転中の設定情報平均値を算出・記憶する室内制御装置と、
前記遠隔制御装置により、当該空気調和機の運転を停止するときに、前記単位時間当たりの積算電力量及び運転中の設定情報平均値を前記遠隔制御装置に送信する送信部と、を備え、
前記遠隔制御装置は、当該空気調和機の運転停止時に、前記単位時間当たりの積算電力量及び運転中の設定情報平均値と、該遠隔制御装置で設定されている現在の設定内容との比較値より、前記現在の設定内容で運転を開始した場合の単位時間当たりの積算電力量の予測値を算出し、常時もしくは所定の条件のときに、前記現在の設定内容で運転を開始した場合の単位時間当たりの積算電力量の予測値もしくは、積算電気量から換算した単位時間当たりの電気代の予想値を前記表示部に表示するとともに、
前記遠隔制御装置は、当該空気調和機の運転停止時に、前記設定内容が変更された場合には、前記単位時間当たりの積算電力量及び運転中の設定情報平均値と、変更された設定内容との比較値より、変更された設定内容で運転を開始した場合の単位時間当たりの積算電力量の予測値を算出し、変更された設定内容で運転を開始した場合の単位時間当たりの積算電力量の予測値もしくは、積算電気量から換算した単位時間当たりの電気代の予想値を前記表示部に表示する
ことを特徴とする空気調和機。
【請求項２】
前記遠隔制御装置は専用ボタンを備え、当該空気調和機の運転停止時に、前記専用ボタンが押されたとき、前記現在の設定内容で運転を開始した場合の前記単位時間当たりの積算電力量の予測値もしくは、前記単位時間当たりの電気代の予想値を前記表示部に表示することを特徴とする請求項１記載の空気調和機。
【請求項３】
前記遠隔制御装置は移動量検知センサーを備え、当該空気調和機の運転停止時に、前記移動量検知センサーにより該遠隔制御装置の移動が検知されたとき、前記現在の設定内容で運転を開始した場合の前記単位時間当たりの積算電力量の予測値もしくは、前記単位時間当たりの電気代の予想値を前記表示部に表示することを特徴とする請求項１記載の空気調和機。
【請求項４】
前記室内機は、室内の空気温度を検知する室内温度センサーを備え、
前記遠隔制御装置は、当該空気調和機の運転停止時に、前記室内制御装置と双方向通信を行い、前記室内制御装置より送信される前記室内の空気温度情報と、該遠隔制御装置の設定温度とを前記表示部に表示することを特徴とする請求項１〜３のいずれかに記載の空気調和機。
【請求項５】
前記室内機には、室内の空気温度を検知する室内温度センサー、室内の湿度を検知する湿度センサー、及び床・壁の輻射熱や人の温度を測定することができるサーモパイル赤外線センサーを備え、
前記室内制御装置は、前記室内の空気温度・前記室内の湿度・前記サーモパイル赤外線センサーの検出結果より、使用者の感じる体感温度を算出する体感温度算出部を備え、
前記遠隔制御装置は、当該空気調和機の運転停止時に、前記室内制御装置と双方向通信を行い、前記遠隔制御装置の設定内容と前記体感温度との差を表示部に表示することを特徴とする請求項１〜３のいずれかに記載の空気調和機。
【請求項６】
前記遠隔制御装置の前記表示部に、部屋全体を空調する場合の単位時間当たりの積算電力量の予測値もしくは、前記単位時間当たりの電気代の予想値と、人の位置のみを空調する場合の単位時間当たりの積算電力量の予測値もしくは、前記単位時間当たりの電気代の予想値とにわけて表示することを特徴とする請求項１〜５のいずれかに記載の空気調和機。
【請求項７】
前記双方向通信方式として、無線を用いたことを特徴とする請求項１〜６のいずれかに記載の空気調和機。
【発明の詳細な説明】
【技術分野】
【０００１】
この発明は、空気調和機に関するものである。
【背景技術】
【０００２】
従来、空気調和機と遠隔制御装置とにそれぞれ双方向通信手段を設け、空気調和機本体には消費電力又は電気料金を計測する計測手段を設け、遠隔制御装置の表示部には、予め設定された日数の間の消費電力又は電気料金の総積算値を表示する空気調和機が開示されている（例えば、特許文献１参照）。
【０００３】
また、従来、空気調和機の運転開始時に単位時間当たりの積算電力量の予測値、もしくは単位時間当たりの電気代の予測値、もしくは単位時間当たりのＣＯ２排出量の予想値の情報を提供することができる表示装置を備えた空気調和機が開示されている（例えば、特許文献２参照）。
【先行技術文献】
【特許文献】
【０００４】
【特許文献１】特開２００１−９９４６５号公報
【特許文献２】特開２０１０−７１５０５号公報
【発明の概要】
【発明が解決しようとする課題】
【０００５】
しかしながら、上記特許文献１記載の空気調和機は、運転中もしくは停止中に、遠隔制御装置から消費電力の要求指令を受けると、遠隔制御装置に対し消費電力等のデータを送信し表示部に表示されるが、運転中は現時点の消費電力、停止中は前回の運転における消費電力が表示されるため、現在もしくは過去の消費電力しか把握できず、ユーザーは具体的にどのように空気調和機を動作させればよいか分からないという課題があった。
【０００６】
また、上記特許文献２記載の空気調和機は、単位時間当たりの積算電力量の予測値、もしくは単位時間当たりの電気代の予測値、もしくは単位時間当たりのＣＯ２排出量の予想値の情報を空気調和機の表示装置に提供することができるが、空気調和機の運転を開始しなければ、予想値が分からないという課題があった。
【０００７】
この発明は、上記のよう課題を解決するためになされたもので、空気調和機の運転を開始する前に、遠隔制御装置の表示部に現在の設定で運転を行ったときの積算電力量の予想値、もしくは単位時間当たりの電気代の予測値（燃費）、もしくは単位時間当たりのＣＯ２排出量の予想値の情報を表示することで、運転を行う前に運転した場合の情報が手元でわかり、省エネ意識を促進することができる空気調和機を提供する。
【課題を解決するための手段】
【０００８】
この発明に係る空気調和機は、室内制御装置を有する室内機と、表示部を有する遠隔制御装置との間で双方向に通信し情報を送受信する空気調和機において、
室内機は、
単位時間当たりの積算電力量及び運転中の設定情報平均値を算出・記憶する室内制御装置と、
遠隔制御装置により、空気調和機の運転を開始するとき、もしくは、運転を停止するときに、単位時間当たりの積算電力量及び運転中の設定情報平均値を遠隔制御装置に送信する送信部と、を備え、
遠隔制御装置は、空気調和機の運転停止時に、単位時間当たりの積算電力量及び運転中の設定情報平均値と、遠隔制御装置で設定されている現在の設定内容との比較値より、少なくとも現在の設定内容で運転を開始した場合の単位時間当たりの積算電力量の予測値を算出し、常時もしくは所定の条件のときに、少なくとも現在の設定内容で運転を開始した場合の単位時間当たりの積算電力量の予測値もしくは、積算電気量から換算した単位時間当たりの電気代の予想値（燃費）を表示部に表示するものである。
【発明の効果】
【０００９】
この発明に係る空気調和機は、運転開始前に、少なくとも遠隔制御装置で設定した現在の設定内容で空気調和機を運転した場合の単位時間当たりの積算電力量の予測値、もしくは単位時間当たりの電気代の予測値（燃費）がわかるため、ユーザーが想定している予想値と異なる場合に、運転を開始する前に設定内容を変更することができる。また手元にある遠隔制御装置の表示部に予測値を表示させるために、視認性が良くユーザーに省エネ意識を促進することができる。
【図面の簡単な説明】
【００１０】
【図１】実施の形態１を示す図で、空気調和機で使用するリモコン１の平面図。
【図２】実施の形態１を示す図で、リモコン１の送信部１２における縦断面図。
【図３】実施の形態１を示す図で、リモコン１の受信部１３における縦断面図。
【図４】実施の形態１を示す図で、空気調和機の室内機２０の正面図。
【図５】実施の形態１を示す図で、空気調和機の室外機３０の分解斜視図。
【図６】実施の形態１を示す図で、室内制御装置と遠隔制御装置の動作の一例を示すフローチャート図。
【図７】実施の形態１を示す図で、人中心の制御を実施する場合の運転前に表示させる表示例を示す図。
【図８】実施の形態１を示す図で、部屋全体の制御を実施する場合の運転前に予想燃費を表示させる表示例を示す図。
【図９】実施の形態１を示す図で、人中心の制御を実施する場合と部屋全体の制御を実施する場合を同時に運転前に予想燃費を表示させる表示例を示す図。
【図１０】実施の形態１を示す図で、人中心の制御を実施する場合の運転前に予想燃費と現在の設定と、現在の室温状況を一度に表示させる表示例を示す図。
【図１１】実施の形態１を示す図で、室内制御装置と遠隔制御装置の動作の他の例を示すフローチャート図。
【発明を実施するための形態】
【００１１】
実施の形態１．
図１は実施の形態１を示す図で、空気調和機で使用するリモコン１の平面図である。図１に示すように、リモコン１（遠隔制御装置）は、少なくとも以下に示す情報を表示可能な液晶ディスプレイ（ＬＣＤ）の表示部２を備える。
（１）時刻；
（２）冷房、除湿、暖房、送風などの運転モード；
（３）設定温度・湿度などの設定状況；
（４）省エネ運転情報（おすすめ運転や省エネアドバイスに関する情報）。
【００１２】
表示部２は、変化に富んだ画像表示を行うために、フルドット液晶ディスプレイを使用している。
【００１３】
表示部２の下に、室内機２０の運転開始・停止を行う運転入／切ボタン３が設けられている。
【００１４】
運転入／切ボタン３の下に、温度の調節を行う温度調節ボタン４と湿度の調節を行う湿度調節ボタン５とが左右に並べて配置されている。
【００１５】
温度の調節を行う温度調節ボタン４と湿度の調節を行う湿度調節ボタン５の下に、運転モードを変更するボタンが設けられる。即ち、左から、冷房運転を行う冷房ボタン６、除湿運転を行う除湿ボタン７、暖房運転を行う暖房ボタン８が左右に並べて配置されている。
【００１６】
これらの運転モードを変更するボタンの下に、表示部２に表示された項目を選択することのできる選択ボタン９が設けられている。
【００１７】
選択ボタン９の下に、運転前に単位時間当たりの電気代の予測値（燃費）や設定温度と現在の温度を表示させる専用ボタン１１が設けられている。
【００１８】
また、専用ボタン１１の横に、送風運転を行う送風ボタン１０が設けられている。
【００１９】
リモコン１の内部の最上部に、室内機２０（後述する）に送信を行う送信部１２、室内機２０からの信号を受信する受信部１３が設けられている。
【００２０】
図２は実施の形態１を示す図で、リモコン１の送信部１２における縦断面図である。図２に示すように、室内機２０に送信を行う送信部１２は、リモコン１の内部の最上部に配置されている。送信部１２には、赤外ＬＥＤ（発光ダイオート）を使用している。
【００２１】
また、リモコン１の内部には、リモコンが移動したことを検知する移動量検知センサー１４が設けられている。移動量検知センサー１４には、例えば、位置変化をピエゾ抵抗素子によって検出する、半導体式の加速度センサーのピエゾ抵抗型３軸加速度センサーを使用している。
【００２２】
また、図２では、移動量検知センサーをリモコン１の内部上部に配置しているが、この位置に限られたわけではなく、移動量が検知できる箇所であればよい。
【００２３】
図３は実施の形態１を示す図で、リモコン１の受信部１３における縦断面図である。図３に示すように、室内機２０からの信号を受信する受信部１３は、送信部１２と並んでリモコン１の内部の最上部に配置されている。但し、図３では送信部１２は見えていない。受信部１３には、赤外線信号を受光する受光素子を使用している。
【００２４】
図４は実施の形態１を示す図で、空気調和機の室内機２０の正面図である。次に、空気調和機の室内機２０の本実施の形態に関連する部分の構成を、図４を参照しながら説明する。
【００２５】
図４に示すように、室内機２０は、その前面の調和空気の吹出口２１の上に、リモコン１の送信部１２からの赤外線信号を受信する受信部２２を備える。
【００２６】
また、受信部２２と同様に、調和空気の吹出口２１の上に、リモコン１に赤外線信号を送信する送信部２３を備える。送信部２３には、リモコン１の送信部１２と同様に、赤外ＬＥＤ（発光ダイオート）を使用している。
【００２７】
室内機２０にはプラグ２６が設けられ、室内のコンセントより電源を供給される。
【００２８】
室内機２０と室外機３０（後述する）との情報及び制御のやりとりを行うケーブル４０が、室内機２０の背面の所定の位置に接続されている。一例では、背面から見て室内機２０の左隅に、ケーブル４０は接続されている。
【００２９】
図示はしないが、室内の空気温度を測定する室内温度センサーや室内の空気湿度を測定する湿度センサーが、例えば、室内空気の吸込口２４の近傍や室内機の側面に空隙を設け風の流れをつくり、風の流れのある箇所に設けられている。
【００３０】
また、室内機２０には、床・壁の輻射熱や、人の温度を測定することができるサーモパイル赤外線センサー２５が設けられている。
【００３１】
また、図示はしないが、空気調和機の運転を制御する制御装置に内蔵された室内マイクロコンピュータが、例えば、室内機２０の電気品箱に収納されている。室内マイクロコンピュータには、制御に関係するプログラムが組み込まれている。
【００３２】
図５は実施の形態１を示す図で、空気調和機の室外機３０の分解斜視図である。図５に示すように、空気調和機の室外機３０は、空気調和機の運転を制御する制御装置３１に内蔵された室外マイクロコンピュータが、例えば、室外機３０の電気品箱に収納されている。
【００３３】
また、室外機３０には、室外空気温度を測定する室外温度センサー３３が内蔵されている。室外温度センサー３３は、例えば、サーミスタで構成される。
【００３４】
また、室外機３０には、冷凍サイクルを構成する圧縮機３２（冷媒を圧縮するもので、例えば、ロータリ圧縮機、スクロール圧縮機、レシプロ圧縮機などがある）、熱交換器３４（プレートフィン型）、減圧装置（電子膨張弁）、冷媒の流れる方向を切り替える四方弁などが搭載されている。
【００３５】
また、熱交換器３４の冷媒と空気との熱交換を促進するために、熱交換器３４に送風を行う送風機３５が設けられる。送風機３５は、軸流送風機が使用される。
【００３６】
次に動作について説明する。
図６は実施の形態１を示す図で、室内制御装置と遠隔制御装置の動作の一例を示すフローチャート図である。先ず、空気調和機の停止中に、リモコン１が単位時間当たりの電気代（燃費）を、リモコン１の専用ボタン１１が押されたとき、もしくはリモコン１の移動が検知されたときに、表示部２に表示する例から説明する。
【００３７】
室内制御装置は、前回の運転時に、リモコン１からの運転入／切ボタン３のＯＦＦ信号を受信すると、単位時間当たりの積算電力量αの算出・記憶及び運転中の設定情報平均値βの算出・記憶を行う（Ｓ１０）。このＳ１０を、単位時間当たりの積算電力量及び運転中の設定情報平均値を算出・記憶部とする。そして、単位時間当たりの積算電力量α及び運転中の設定情報平均値βを室内機の送信部２３が送信し（Ｓ１１）、リモコン１の受信部１３が受信し、リモコンマイクロコンピュータ（図示しない）に記憶させる（Ｓ２０）・・・（通信Ｘ）。さらに、室内制御装置は、電源をＯＦＦして空気調和機は停止する（Ｓ１２）。Ｓ１１を単位時間当たりの積算電力量及び運転中の設定情報平均値を前記遠隔制御装置に送信する送信部とする。
【００３８】
その後、リモコン１は、単位時間当たりの積算電力量α及び運転中の設定情報平均値βをリモコンマイクロコンピュータに記憶した状態で、待機状態となる。
【００３９】
次に、リモコン１の専用ボタン１１が押されるか、またはリモコン１の移動が検知された場合（Ｓ２１）、リモコン１は、リモコンマイクロコンピュータに記憶した、単位時間当たりの積算電力量αと、設定情報平均値βと現在リモコン１で設定されている設定内容との比較値より、その設定内容で運転を開始した場合の単位時間当たりの積算電力量の予測値、もしくは積算電力量より換算した、単位時間当たりの電気代の予測値（燃費）、もしくは単位時間当たりのＣＯ２排出量の予想値をリモコンマイクロコンピュータで算出（予測）し（Ｓ２２）、表示部２に表示する（Ｓ２３）。尚、図６では、単位時間当たりのＣＯ２排出量の予測値については図示していない。
【００４０】
図７乃至図１０は実施の形態１を示す図で、図７は人中心の制御を実施する場合の運転前に表示させる表示例を示す図、図８は部屋全体の制御を実施する場合の運転前に予想燃費を表示させる表示例を示す図、図９は人中心の制御を実施する場合と部屋全体の制御を実施する場合を同時に運転前に予想燃費を表示させる表示例を示す図、図１０は人中心の制御を実施する場合の運転前に予想燃費と現在の設定と、現在の室温状況を一度に表示させる表示例を示す図である。リモコン１の表示部２に表示される電気代の予測値（燃費）の表示例を、図７乃至図１０を参照しながら説明する。
【００４１】
図７に示すように、室内機２０から送信される設定内容として、室内機２０に設けられているサーモパイル赤外線センサー２５により、室内の温度と人の体温との温度差により人を判断し、人のいる部屋の位置中心に空調を行うモードの場合は、リモコン１の表示部２には「人数に合わせた運転。一人なら１時間約４．５円」と表示することができる。
【００４２】
また、図８に示すように、室内機２０から送信される設定内容として、サーモパイル赤外線センサー２５により、室内の温度ムラを検知し部屋全体をムラなく空調を行うモードの場合は、リモコン１の表示部２には「お部屋全体を空調なら１時間約５．０円」と表示することができる。
【００４３】
また、図９に示すように、室内機２０から送信される設定内容にかかわらず、サーモパイル赤外線センサー２５を用いた、人のいる部屋の位置中心の空調、もしくは、部屋全体をムラなく空調を行うモードの場合の各々の単位時間あたりの電気代の予測値を表示させる。かつ、どちらのモードで運転を開始するか選択し運転を開始することができる選択ボタン９を設けることで、ユーザーの好みの運転モードにおいて今後の電気代の予想値がわかるようにすることができる。
【００４４】
ここで、どちらが選択されているか枠線の太さを変化させることで、容易にわかるようにすることができる。図９の例は、人のいる部屋の位置中心の空調を行うモードを選択している。
【００４５】
また、運転停止中に専用ボタン１１もしくは移動量検知センサー１４で移動量を検知できた場合に、リモコン１の送信部１２より室内機２０の受信部２２とで双方向通信を行い、室内機２０に設けられている温度センサーより現在の室内の温度を検知し、その検知結果を室内機２０の送信部２３からリモコン１の受信部１３へ送信させる。
【００４６】
リモコン１では、図１０で示すように、受信した現在の室温温度情報と現在リモコン１で設定されている設定温度を数値と絵でわかり易く表現し、単位時間当たりの電気代の予測値（燃費）と共に表示部２に表示させる。
【００４７】
ユーザーは、リモコン１に表示された単位時間当たりの電気代の予測値（燃費）等を見て、例えば、設定温度を変更したい場合は、温度調節ボタン４を押して設定を変更する（Ｓ２４）。
【００４８】
リモコン１は、リモコンマイクロコンピュータに記憶した、単位時間当たりの積算電力量αと、設定情報平均値βと設定が変更された設定内容との比較値より、その設定内容で運転を開始した場合の単位時間当たりの積算電力量の予測値、もしくは積算電力量より換算した、単位時間当たりの電気代の予測値（燃費）、もしくは単位時間当たりのＣＯ２排出量の予想値をリモコンマイクロコンピュータで算出（予測）し（Ｓ２２）、表示部２に表示する（Ｓ２３）。尚、図６では、単位時間当たりのＣＯ２排出量の予測値については図示していない。
【００４９】
単位時間当たりの電気代の予測値（燃費）等がユーザーが納得できるものであれば、設定条件変更を終了し（Ｓ２４で設定条件変更なし）、例えば、冷房運転を開始したい場合は、リモコン１の運転入／切ボタン３又は運転モードである冷房ボタン６で冷房運転の開始信号を送信部１２から室内機２０に送信することにより、空気調和機は運転を開始する。
【００５０】
ユーザーが前回の運転の設定内容から今回の運転まで、設定を変更しなかった場合は（Ｓ２４で設定条件変更なし）、前回空気調和機が運転していたときの各種設定内容で、空気調和機は運転を行う（ここでいう各種設定内容とは、温度、湿度、風速、風向などのことを示す）。Ｓ２１で、リモコン１の専用ボタン１１が押されない、またはリモコン１の移動が検知されないまま、リモコン１の運転入／切ボタン３又は運転モードである冷房ボタン６で冷房運転の開始信号を送信部１２から室内機２０に送信することにより、空気調和機が運転を開始する場合も同様である。
【００５１】
室内機制御装置は、リモコン１の送信部１２から送信される運転の開始信号を室内機２０の受信部２２が受信すると、電源をＯＮにして空気調和機の運転（今回の運転）を開始させる（Ｓ１３）。
【００５２】
続いて運転開始時に、室内機制御装置は、室内マイクロコンピュータで記憶していた前回の単位時間当たりの積算電力量αと前回の運転中の設定情報平均値βを室内機の送信部２３が送信し（Ｓ１４）、リモコン１の受信部１３が受信し、リモコンマイクロコンピュータ（図示しない）に記憶させる（Ｓ２６）・・・（通信Ｙ）。このように、複数回リモコン１と室内機２０とで双方向通信させることで、双方向通信が失敗した場合でも、前回の送信データを用いることができ、単位時間当たりの電気代の予測値（燃費）を表示するこができないということを回避することができる。
【００５３】
リモコン１からの受信した情報は、室内マイクロコンピュータが、例えば冷房モードと、室温と設定温度の差のデータとを、ケーブル４０を使って室外機３０（制御装置３１に内蔵された室外マイクロコンピュータ）に送信する。
【００５４】
室内機２０の情報（冷房モードと、室温と設定温度の差のデータ）を受信した室外マイクロコンピュータの指令により、最適な周波数（冷房モードで、室温を設定温度に速やかに近づける周波数）での運転を圧縮機３２は行う。
【００５５】
それにより空気調和機は、室温が設定した温度になるように、圧縮機３２の周波数を可変しながら冷房運転を行う。
【００５６】
室内機２０の室内マイクロコンピュータは、室外マイクロコンピュータと通信を行い、空気調和機の運転時の電流を検出する回路（図示せず）から出力される電流値と、圧縮機３２を含む機器（圧縮機３２以外に、室内外の送風機など）の運転特性（送風機回転数、電流値など）から予め定めた力率の値と、空気調和機の電源電圧から、積算電力量を算出する。
【００５７】
また、算出した積算電力量と運転開始からの累積運転時間から、単位時間当たりの積算電力量Ａを算出し室内マイクロコンピュータに記憶する（Ｓ１５）。
【００５８】
また、電気代は、算出した単位時間当たりの積算電力量Ａと電気代単価（円／ｋＷｈ）との積で求める。
【００５９】
ここで、電気代単価は、リモコン１で、任意に金額に設定することができ、使用者の地域にあった金額を入れることができ、よりユーザーが使用する環境での電気代に値に近づけることができる。
【００６０】
また、室内マイクロコンピュータは、運転開始から停止するまでの期間内で設定された設定内容（温度、湿度など）の平均値Ｂを記憶する（Ｓ１５）。Ｓ１５を、単位時間当たりの積算電力量及び運転中の設定情報平均値を算出・記憶部とする。
【００６１】
そして、ユーザーは、リモコン１の運転入／切ボタン３を押して運転停止信号をリモコン１の送信部１２から室内機２０へ送信する（Ｓ２７）。
【００６２】
室内機２０の受信部２２が、リモコン１からの運転停止信号を受信すると（Ｓ１６）、空気調和機を停止させる前に、室内機２０の室内マイクロコンピュータは、記憶していた設定内容の平均値Ｂと単位時間当たりの積算電力量Ａを室内機の送信部２３が送信し（Ｓ１７）、リモコン１の受信部１３が受信し、リモコンマイクロコンピュータに記憶させる（Ｓ２８）・・・（通信Ｚ）。Ｓ１７を、単位時間当たりの積算電力量及び運転中の設定情報平均値を前記遠隔制御装置に送信する送信部とする。
【００６３】
ここで、設定内容の平均値Ｂと単位時間当たりの積算電力量Ａが、運転停止時の通信Ｚが成功し取得できた場合は、運転開始時の通信Ｙで取得した情報に上書きして記憶される。
【００６４】
単位時間当たりの電気代の予測値（燃費）を表示部２に表示させるきっかけとして、リモコン１の専用ボタン１１が押されたとき、もしくはリモコン１の移動が検知されたときに、電気代の予測値（燃費）を表示部２に一定時間表示させることより、リモコン１の電池寿命が短くなるのを抑制することができる。
【００６５】
リモコン１の移動量を検知することのできる移動量検知センサー１４を用いることで、ユーザーがリモコン１を手に取った場合に、設定内容で運転した場合の単位時間当たりの積算電力量の予測値、もしくは積算電力量より換算した、単位時間当たりの電気代の予測値（燃費）、もしくは単位時間当たりのＣＯ２排出量の予想値をリモコンマイクロコンピュータで算出し表示部２に表示させることで、より容易に、電気代の予測値（燃費）を確認することができる。
【００６６】
また、移動量検知センサー１４を設けることで、手に取ったときは表示させ、一定時間、移動を検知することがない場合には表示内容を消し、リモコン１の電池寿命が短くなるのを抑制することができる。
【００６７】
以上のように、運転を開始する前にリモコン１に設定している内容で単位時間当たりの電気代の予測値（燃費）を表示させることで、必要以上に設定温度を下げる（冷房時）という非省エネ行動を抑制し、ユーザーの省エネ行動を促進させる。また、単位時間当たりの電気代の予測値（燃費）に加え、現在の温度と運転する前の設定している設定温度を見せることにより、この程度であれば空気調和機の使用を控えよう、もしくは、設定温度を高めにしよう（冷房時）というユーザーの省エネ行動を促進させることができる。
【００６８】
また、室温と、設定温度の差による内容を説明したが、室内機２０から送られる情報として室内温度センサー、湿度センサー、サーモパイル赤外線センサー２５から算出する体感温度と、リモコン１で設定された体感温度を数値と絵でわかり易く表現することで、より使用者の感じている温度で訴えることができ同様な効果を得られる。ここで、体感温度算出部は、室内温度センサー、湿度センサー、サーモパイル赤外線センサー２５から体感温度を算出するものとする。
【００６９】
さらに室内機２０本体の表示ではなく、手元のリモコン１に表示させることより視認性を良くし、リモコン１の移動量を移動量検知センサー１４で検知した場合に単位時間当たりの電気代の予測値（燃費）を表示させることにより、ユーザーが意識せずに、単位時間当たりの電気代の予測値（燃費）をリモコン１の表示部２で表示させることができ、単位時間当たりの電気代の予測値（燃費）を確認することができ、ユーザーの省エネ行動を促進させることができる。また、移動量検知センサー１４で単位時間当たりの電気代の予測値（燃費）の表示をさせるだけでなく、一定時間動きがない場合は、表示を消すことで、リモコンの電池寿命を延命することができる。
【００７０】
また、図６に示すように、リモコン１と室内機２０との双方向通信を運転停止時の通信Ｘだけでなく、次回運転開始時にリモコン１と室内機２０との双方向通信Ｙを実施し、この情報を前記通信Ｘと同じデータを送信させる。
【００７１】
このように、複数回リモコン１と室内機２０とで双方向通信させることで、双方向通信が失敗した場合でも、前回の送信データを用いることができ、単位時間当たりの電気代の予測値（燃費）を表示するこができないということを回避することができる。
【００７２】
ここで通信を運転前と運転後の２回としたが、これに限らず、一連の運転中にリモコン１から信号が送信されてきたときに、複数回双方向通信により情報のやり取りを実施しても同様の効果が得られる。
【００７３】
また、室内マイクロコンピュータで記憶する単位時間当たりの積算電力量と運転中の設定情報平均値および、リモコンマイクロコンピュータに記憶した、単位時間当たりの積算電力量と、設定内容の平均値は、冷房・暖房・除湿のモード毎で、記憶させ各々のモードで予測値を算出させることで、運転モードによる電力量の差を表示することを避けることが出来る。
【００７４】
前記双方向通信手段として赤外ＬＥＤを用いたが、無線通信を用いた双方向通信にすることで、室内機２０とリモコン１との間で指向性がなくなり、送信が失敗する確立が少なくなる効果が得られる。
【００７５】
図１１は実施の形態１を示す図で、室内制御装置と遠隔制御装置の動作の他の例を示すフローチャート図である。図６の例では、空気調和機の停止中に、電池の寿命を長くするためリモコン１が単位時間当たりの電気代（燃費）を、リモコン１の専用ボタン１１が押されたとき、もしくはリモコン１の移動が検知されたときに、表示部２に表示する例を説明したが、空気調和機の停止中常に単位時間当たりの電気代（燃費）を、リモコン１の表示部２に表示してもよい。
【００７６】
図１１に示すフローチャートでは、空気調和機の停止中常に単位時間当たりの電気代（燃費）を、リモコン１の表示部２に表示するので、図６のＳ２１がない。その他は、同じ内容である。
【００７７】
図７と同様、空気調和機の運転停止後は、リモコンマイクロコンピュータに記憶した、単位時間当たりの積算電力量Ａと、設定内容の平均値Ｂと運転開始前のリモコン１で設定されている設定内容との比較値より、その設定内容で運転を開始した場合の単位時間当たりの積算電力量の予測値、もしくは積算電力量より換算した、単位時間当たりの電気代の予測値（燃費）、もしくは単位時間当たりのＣＯ２排出量の予想値をリモコンマイクロコンピュータで算出し表示部２に表示させる。
【００７８】
また、運転停止時に、室内機２０とリモコン１との通信Ｚが失敗した場合は、開始時の通信Ｙにより室内機２０から受け取った前回運転時の設定内容の平均値αと単位時間当たりの積算電力量βと運転開始前のリモコン１で設定されている設定内容より、その設定状況で運転を開始した場合の単位時間当たりの積算電力量の予測値、もしくは積算電力量より換算した、単位時間当たりの電気代の予測値（燃費）、もしくは単位時間当たりのＣＯ２排出量の予想値をリモコンマイクロコンピュータで算出し表示部２に表示させる。
【００７９】
また、室内温度・湿度に加え、サーモパイル赤外線センサー２５を用い体感温度を算出し、人中心の制御を実施する場合と部屋全体の制御を実施する場合について記述したが、サーモパイル赤外線センサー２５を搭載せず、室内温度・湿度で制御する空気調和機において、同様に運転開始前に単位時間当たりの積算電力量の予測値、もしくは積算電力量より換算した、単位時間当たりの電気代の予測値（燃費）、もしくは単位時間当たりのＣＯ２排出量の予想値を算出し表示部に表示させた場合も同様な効果が得られる。
【符号の説明】
【００８０】
１  リモコン、２  表示部、３  運転入／切ボタン、４  温度調節ボタン、５  湿度調節ボタン、６  冷房ボタン、７  除湿ボタン、８  暖房ボタン、９  選択ボタン、１０  送風ボタン、１１  専用ボタン、１２  送信部、１３  受信部、１４  移動量検知センサー、２０  室内機、２１  吹出口、２２  受信部、２３  送信部、２４  吸込口、２５  サーモパイル赤外線センサー、２６  プラグ、４０  ケーブル、３０  室外機、３１  制御装置、３２  圧縮機、３３  室外温度センサー、３４  熱交換器、３５  送風機、４０  ケーブル。
【図１】
0005478397.tif 000002
【図２】
0005478397.tif 000003
【図３】
0005478397.tif 000004
【図４】
0005478397.tif 000005
【図５】
0005478397.tif 000006
【図６】
0005478397.tif 000007
【図７】
0005478397.tif 000008
【図８】
0005478397.tif 000009
【図９】
0005478397.tif 000010
【図１０】
0005478397.tif 000011
【図１１】
0005478397.tif 000012